【手続補正書】
【提出日】平成29年1月31日(2017.1.31)
【手続補正１】
【補正対象書類名】特許請求の範囲
【補正対象項目名】全文
【補正方法】変更
【補正の内容】
【特許請求の範囲】
【請求項１】
各々が識別可能な複数種類の識別情報を変動表示可能な可変表示部を備え、
前記可変表示部の変動表示を停止することで表示結果を導出し、該表示結果に応じて入賞が発生可能なスロットマシンにおいて、
遊技の制御を行う遊技制御手段と、
遊技制御手段から送信された制御情報に基づいて演出を行う演出制御手段と、
遊技者が表示結果を導出させるために操作する導出操作手段と、
前記遊技制御手段の制御による第１報知手段と、
前記演出制御手段の制御による第２報知手段と、
を備え、
前記第１報知手段及び前記第２報知手段は、いずれも遊技者が遊技を行いながら視認可能であり、
前記遊技制御手段は、
表示結果が導出される前に、導出が許容される表示結果を決定する事前決定手段と、
表示結果を導出する制御を行う手段であって、前記事前決定手段の決定結果が複数種類の特定決定結果のうちいずれかの種類の特定決定結果となった場合において、該特定決定結果の種類に応じた操作態様にて前記導出操作手段が操作されたときに、該特定決定結果の種類に応じた操作態様以外の操作態様にて前記導出操作手段が操作されたときよりも遊技者にとって有利な表示結果を導出する制御を行う導出制御手段と、
前記事前決定手段の決定結果がいずれかの種類の特定決定結果となったときに、該特定決定結果の種類に応じた操作態様に対応する情報を前記第１報知手段に報知させる制御を行う第１報知制御手段と、
前記事前決定手段の決定結果がいずれかの種類の特定決定結果となり、該特定決定結果の種類に応じた操作態様に対応する情報を前記第１報知手段に報知させない場合に、いずれかの種類の特定決定結果となったことが特定可能であるが、該特定決定結果の種類が特定不能であり、かつ該特定決定結果の種類に応じた操作態様が特定不能な第１制御情報を前記演出制御手段に対して送信する第１制御情報送信手段と、
前記事前決定手段の決定結果がいずれかの種類の特定決定結果となり、該特定決定結果の種類に応じた操作態様に対応する情報を前記第１報知手段に報知させる場合に、該特定決定結果の種類に応じた操作態様を特定可能な第２制御情報を前記演出制御手段に対して送信する第２制御情報送信手段と、
を含み、
前記演出制御手段は、前記第２制御情報を受信したときに、該第２制御情報から特定される特定決定結果の種類に応じた操作態様に対応する情報を前記第２報知手段に報知させる制御を行う第２報知制御手段を含み、
前記第１報知制御手段は、
特定決定結果の種類に応じた操作態様に対応する情報の報知を開始させた後、特定決定結果の種類に応じた操作態様と一致する操作態様で前記導出操作手段が操作された場合に、所定タイミングまで報知を継続させる制御を行い、
特定決定結果の種類に応じた操作態様に対応する情報の報知を開始させた後、所定タイミングよりも前に特定決定結果の種類に応じた操作態様とは異なる操作態様で前記導出操作手段が操作された場合にも、所定タイミングまで報知を継続させる制御を行い、
前記第２報知制御手段は、
特定決定結果の種類に応じた操作態様に対応する情報の報知を開始させた後、特定決定結果の種類に応じた操作態様と一致する操作態様で前記導出操作手段が操作された場合に、所定タイミングまで報知を継続させる制御を行い、
特定決定結果の種類に応じた操作態様に対応する情報の報知を開始させた後、所定タイミングよりも前に特定決定結果の種類に応じた操作態様とは異なる操作態様で前記導出操作手段が操作された場合には所定タイミングを待たずに報知を終了させる制御を行う、スロットマシン。
【手続補正２】
【補正対象書類名】明細書
【補正対象項目名】０００６
【補正方法】変更
【補正の内容】
【０００６】
上記課題を解決するために、本発明の請求項１に記載のスロットマシンは、
各々が識別可能な複数種類の識別情報を変動表示可能な可変表示部を備え、
前記可変表示部の変動表示を停止することで表示結果を導出し、該表示結果に応じて入賞が発生可能なスロットマシンにおいて、
遊技の制御を行う遊技制御手段と、
遊技制御手段から送信された制御情報に基づいて演出を行う演出制御手段と、
遊技者が表示結果を導出させるために操作する導出操作手段と、
前記遊技制御手段の制御による第１報知手段と、
前記演出制御手段の制御による第２報知手段と、
を備え、
前記第１報知手段及び前記第２報知手段は、いずれも遊技者が遊技を行いながら視認可能であり、
前記遊技制御手段は、
表示結果が導出される前に、導出が許容される表示結果を決定する事前決定手段と、
表示結果を導出する制御を行う手段であって、前記事前決定手段の決定結果が複数種類の特定決定結果のうちいずれかの種類の特定決定結果となった場合において、該特定決定結果の種類に応じた操作態様にて前記導出操作手段が操作されたときに、該特定決定結果の種類に応じた操作態様以外の操作態様にて前記導出操作手段が操作されたときよりも遊技者にとって有利な表示結果を導出する制御を行う導出制御手段と、
前記事前決定手段の決定結果がいずれかの種類の特定決定結果となったときに、該特定決定結果の種類に応じた操作態様に対応する情報を前記第１報知手段に報知させる制御を行う第１報知制御手段と、
前記事前決定手段の決定結果がいずれかの種類の特定決定結果となり、該特定決定結果の種類に応じた操作態様に対応する情報を前記第１報知手段に報知させない場合に、いずれかの種類の特定決定結果となったことが特定可能であるが、該特定決定結果の種類が特定不能であり、かつ該特定決定結果の種類に応じた操作態様が特定不能な第１制御情報を前記演出制御手段に対して送信する第１制御情報送信手段と、
前記事前決定手段の決定結果がいずれかの種類の特定決定結果となり、該特定決定結果の種類に応じた操作態様に対応する情報を前記第１報知手段に報知させる場合に、該特定決定結果の種類に応じた操作態様を特定可能な第２制御情報を前記演出制御手段に対して送信する第２制御情報送信手段と、
を含み、
前記演出制御手段は、前記第２制御情報を受信したときに、該第２制御情報から特定される特定決定結果の種類に応じた操作態様に対応する情報を前記第２報知手段に報知させる制御を行う第２報知制御手段を含み、
前記第１報知制御手段は、
特定決定結果の種類に応じた操作態様に対応する情報の報知を開始させた後、特定決定結果の種類に応じた操作態様と一致する操作態様で前記導出操作手段が操作された場合に、所定タイミングまで報知を継続させる制御を行い、
特定決定結果の種類に応じた操作態様に対応する情報の報知を開始させた後、所定タイミングよりも前に特定決定結果の種類に応じた操作態様とは異なる操作態様で前記導出操作手段が操作された場合にも、所定タイミングまで報知を継続させる制御を行い、
前記第２報知制御手段は、
特定決定結果の種類に応じた操作態様に対応する情報の報知を開始させた後、特定決定結果の種類に応じた操作態様と一致する操作態様で前記導出操作手段が操作された場合に、所定タイミングまで報知を継続させる制御を行い、
特定決定結果の種類に応じた操作態様に対応する情報の報知を開始させた後、所定タイミングよりも前に特定決定結果の種類に応じた操作態様とは異なる操作態様で前記導出操作手段が操作された場合には所定タイミングを待たずに報知を終了させる制御を行う
ことを特徴としている。
本発明の手段１のスロットマシンは、
各々が識別可能な複数種類の識別情報を変動表示可能な可変表示部（リール２Ｌ、２Ｃ、２Ｒ）を備え、
前記可変表示部（リール２Ｌ、２Ｃ、２Ｒ）の変動表示を停止することで表示結果を導出し、該表示結果に応じて入賞が発生可能なスロットマシン（スロットマシン１）において、
遊技の制御を行う遊技制御手段（メイン制御部４１）と、
遊技制御手段から送信された制御情報（コマンド）に基づいて演出を行う演出制御手段（サブ制御部９１）と、
遊技者が表示結果を導出させるために操作する導出操作手段（ストップスイッチ８Ｌ、８Ｃ、８Ｒ）と、
前記導出操作手段の操作手順（停止順）を識別可能に報知することが可能な操作手順報知手段（ナビ報知、ナビ演出）と、
を備え、
前記遊技制御手段は、
表示結果が導出される前に、導出が許容される表示結果を決定する事前決定手段（内部抽選）と、
表示結果を導出する制御を行う導出制御手段（リールの停止制御）と、
前記導出操作手段の操作手順（停止順）が報知される報知状態（ナビ報知が実行される状態）に制御する報知状態制御手段と、
を含み、
前記演出制御手段は、入賞が発生したときに特定演出（入賞報知演出）を実行可能な特定演出実行手段を含み、
前記操作手順報知手段は、前記報知状態（ナビ報知が実行される状態）に制御されている場合に前記導出操作手段（ストップスイッチ８Ｌ、８Ｃ、８Ｒ）の操作手順（停止順）を識別可能に報知し、
前記特定演出実行手段は、
前記操作手順報知手段（ナビ報知、ナビ演出）により特定の操作手順（停止順）が識別可能に報知され、特定の操作手順で操作されて入賞（例えば、特殊リプレイ）が発生したときに、特定演出（入賞報知演出）を実行し、
前記操作手順報知手段（ナビ報知、ナビ演出）により特定の操作手順（停止順）が識別可能に報知され、特定の操作手順とは異なる操作手順で操作されて入賞（例えば、転落リプレイ）が発生したときに、特定演出（入賞報知演出）を実行しない
ことを特徴としている。
この特徴によれば、操作手順が報知され、報知された操作手順以外の操作手順で操作されて入賞が発生した場合には特定演出が実行されないことから、報知された操作手順を無視しても入賞が発生することを遊技者に印象付けてしまうことを防止できる。